(57)【特許請求の範囲】
【請求項１】
第１の周波数帯及び第２の周波数帯との間で切り替えて送信を行う第１の送信部を有する第１の無線部と、
前記第２の周波数帯に比して前記第１の周波数帯に近い第３の周波数帯による受信を行う第１の受信部と、所定の周波数帯を抑制するフィルタ部とを有する第２の無線部と、
前記第１の受信部による受信と前記第１の送信部による送信とを共に行う場合、前記第１の送信部による送信を前記第２の周波数帯にて行うように制御すると共に前記フィルタ部を利用しないように制御する制御部と、を有する携帯通信端末。
【請求項２】
前記第１の無線部は、前記第３の周波数帯と前記第２の周波数帯の間における周波数の差よりも前記第３の周波数帯との間における周波数の差が大きい周波数帯である第４の周波数帯を利用可能に構成されており、
前記制御部は、前記第２の周波数帯よりも前記第４の周波数帯を優先して基地局との通信の確立を行い、当該通信の確立が行えれば前記第４の周波数帯を利用して送信を行うように前記第１の無線部を制御する請求項１記載の携帯通信端末。
【請求項３】
第２の無線部は、前記第３の周波数帯を利用して送信されるテレビ放送あるいはラジオ放送の受信を行う請求項１記載の携帯通信端末。
【請求項４】
前記制御部は、前記第２の無線部により前記第３の周波数帯を利用して送信されてきた信号を受信中に、前記第１の無線部の前記第１の受信部が前記第１の周波数帯を利用して送信されてきた信号を受信した場合、前記第１の無線部に対して他の周波数帯の使用の可否についてのスキャンを実行させ、前記第２の周波数帯の使用が可能な場合には、前記第１の周波数帯から前記第２の周波数帯に切り替える旨の情報を前記第１の周波数帯を利用して送信し、その後、前記第１の周波数帯から前記第２の周波数帯への切り替えを許可する旨の信号を受信した場合には、前記第１の周波数帯から前記第２の周波数帯へ切り替えるように制御する請求項１記載の携帯通信端末。
【請求項５】
第１の周波数帯及び第２の周波数帯との間で切り替えて送信を行う第１の送信部を有する第１の無線部と、
前記第２の周波数帯に比して前記第１の周波数帯に近い第３の周波数帯による受信を行う第１の受信部を有する第２の無線部と、
前記第１の受信部による受信と前記第１の送信部による送信とを共に行う場合、前記第１の送信部による送信を前記第２の周波数帯にて行うように制御する制御部と、を有し、
前記第２の無線部は、所定の周波数帯を抑制するフィルタ部を有し、
前記制御部は、前記第１の送信部により前記第１の周波数帯から前記第２の周波数帯への切り替え処理が完了するまでは前記フィルタ部を有効にし、前記切り替え処理が完了した後は前記フィルタ部を無効にする携帯通信端末。
【請求項６】
第１の周波数帯及び第２の周波数帯との間で切り替えて送信を行う第１の送信部を有する第１の無線部と、
前記第２の周波数帯に比して前記第１の周波数帯に近い第３の周波数帯による受信を行う第１の受信部を有する第２の無線部と、
前記第１の受信部による受信と前記第１の送信部による送信とを共に行う場合、前記第１の送信部による送信を前記第２の周波数帯にて行うように制御する制御部と、を有し、
前記制御部は、前記第１の無線部による待ち受け中に、前記第２の無線部を動作させる指示が生じると、前記第１の周波数帯よりも前記第２の周波数帯を優先して待ち受けを行わせるように前記第１の無線部を制御する携帯通信端末。
【請求項７】
第１の周波数帯及び第２の周波数帯との間で切り替えて送信を行う第１の送信部を有する第１の無線部と、
前記第２の周波数帯に比して前記第１の周波数帯に近い第３の周波数帯による受信を行う第１の受信部を有する第２の無線部と、
前記第１の受信部による受信と前記第１の送信部による送信とを共に行う場合、前記第１の送信部による送信を前記第２の周波数帯にて行うように制御する制御部と、を有し、
前記制御部は、前記第１の無線部により前記第１の周波数帯を利用してデータの通信を行っているときに、前記第２の無線部の前記第１の受信部により信号の受信を行わせる指示が生じた場合には、前記第１の無線部によるデータの通信を一旦切断させ、前記第１の無線部に対して他の周波数帯の使用の可否についてのスキャンを実行させ、使用が可能な周波数帯を利用してデータの通信を再開させるように制御する携帯通信端末。
【請求項８】
前記制御部は、前記第１の無線部により前記第１の周波数帯を利用して音声の通信を行っているときに、前記第２の無線部の前記第１の受信部により信号の受信を行わせる指示が生じた場合には、前記第１の無線部に対して他の周波数帯の使用の可否についてのスキャンを実行させ、前記第２の周波数帯が使用可能であれば、前記第１の周波数帯から前記第２の周波数帯に切り替える旨の情報を前記第１の周波数帯を利用して送信し、その後、前記第１の周波数帯から前記第２の周波数帯への切り替えを許可する旨の信号を受信した場合には、前記第１の周波数帯から前記第２の周波数帯へ切り替えるように制御する請求項１記載の携帯通信端末。
【請求項９】
前記第２の無線部は、所定の周波数帯を抑制するフィルタ部を有し、
前記制御部は、前記第１の送信部により前記第１の周波数帯から前記第２の周波数帯への切り替え処理が完了するまでは前記フィルタ部を有効にし、前記切り替え処理が完了した後は前記フィルタ部を無効にする請求項８記載の携帯通信端末。
【請求項１０】
前記制御部は、前記第１の無線部に対して他の周波数帯の使用の可否についてのスキャンを実行させた結果、前記第１の周波数帯しか使用できないと判断した場合、前記第１の周波数帯の中でも前記第３の周波数帯から遠い周波数チャネルを用いて送信を行うように前記第１の無線部を制御する請求項１記載の携帯通信端末。
【発明の詳細な説明】
【技術分野】
【０００１】
本発明は、複数の無線部を有する携帯通信端末に関する。
【背景技術】
【０００２】
携帯通信端末には、外部機器と通信を行う無線部が複数含まれて構成されているものがある。各無線部は、それぞれ異なる通信規格に準じて外部機器と通信を行うことができ、使用する周波数帯も異なっている。また、各無線部は、外部機器との間で信号を送受信する通信システムを構成する。
【０００３】
ところで、一の通信システムによって信号を受信中に、他の通信システムによって信号を送信するような場合や、他の通信システムによって信号を送信中に、一の通信システムによって信号を受信するような場合がある。
【先行技術文献】
【特許文献】
【０００４】
【特許文献１】特開２００３−２４４０１５号公報
【発明の概要】
【発明が解決しようとする課題】
【０００５】
このような場合、携帯通信端末は、一の通信システムのアンテナと他の通信システムのアンテナとの位置関係によって、他の通信システムのアンテナから出力された信号が一の通信システムのアンテナに回り込んで受信される場合がある。
【０００６】
そうすると、一の通信システムが信号の受信を行う際に、他の通信システムから送信された信号が回り込んで受信されてしまい、一の通信システムによる信号の受信性能に影響を与える可能性がある。
【０００７】
ここで、受信性能への影響を回避する手段として、特許文献１に記載されている技術の他に、一の通信システムの信号を受信するアンテナの後段部分に、受信した信号の中から他の通信システムによって出力された信号を除去するためのフィルタを追加することが考えられる。
【０００８】
しかし、単にフィルタを追加しただけの構成であると、受信信号に含まれている目的としない信号を除去する一方で目的とする信号も低減されてしまい、ロスが発生する。
【０００９】
本発明では、受信性能への影響を回避しつつ、目的とする受信信号のロスを低減することができる携帯通信端末を提供することを一つの目的とする。
【課題を解決するための手段】
【００１０】
本発明に係る携帯通信端末は、上記課題を解決するために、第１の周波数帯及び第２の周波数帯との間で切り替えて送信を行う第１の送信部を有する第１の無線部と、前記第２の周波数帯に比して前記第１の周波数帯に近い第３の周波数帯による受信を行う第１の受信部と、所定の周波数帯を抑制するフィルタ部とを有する第２の無線部と、前記第１の受信部による受信と前記第１の送信部による送信とを共に行う場合、前記第１の送信部による送信を前記第２の周波数帯にて行うように制御すると共に前記フィルタ部を利用しないように制御する制御部と、を有する。
【００１２】
また、携帯通信端末では、前記第１の無線部は、前記第３の周波数帯と前記第２の周波数帯の間における周波数の差よりも前記第３の周波数帯との間における周波数の差が大きい周波数帯である第４の周波数帯を利用可能に構成されており、前記制御部は、前記第２の周波数帯よりも前記第４の周波数帯を優先して基地局との通信の確立を行い、当該通信の確立が行えれば前記第４の周波数帯を利用して送信を行うように前記第１の無線部を制御することが好ましい。
【００１３】
また、携帯通信端末では、第２の無線部は、前記第３の周波数帯を利用して送信されるテレビ放送あるいはラジオ放送の受信を行うことが好ましい。
【００１４】
また、携帯通信端末では、前記制御部は、前記第２の無線部により前記第３の周波数帯を利用して送信されてきた信号を受信中に、前記第１の無線部の前記第１の受信部が前記第１の周波数帯を利用して送信されてきた信号を受信した場合、前記第１の無線部に対して他の周波数帯の使用の可否についてのスキャンを実行させ、前記第２の周波数帯の使用が可能な場合には、前記第１の周波数帯から前記第２の周波数帯に切り替える旨の情報を前記第１の周波数帯を利用して送信し、その後、前記第１の周波数帯から前記第２の周波数帯への切り替えを許可する旨の信号を受信した場合には、前記第１の周波数帯から前記第２の周波数帯へ切り替えるように制御することが好ましい。
【００１５】
本発明に係る携帯通信端末は、上記課題を解決するために、第１の周波数帯及び第２の周波数帯との間で切り替えて送信を行う第１の送信部を有する第１の無線部と、前記第２の周波数帯に比して前記第１の周波数帯に近い第３の周波数帯による受信を行う第１の受信部を有する第２の無線部と、前記第１の受信部による受信と前記第１の送信部による送信とを共に行う場合、前記第１の送信部による送信を前記第２の周波数帯にて行うように制御する制御部と、を有し、前記第２の無線部は、所定の周波数帯を抑制するフィルタ部を有し、前記制御部は、前記第１の送信部により前記第１の周波数帯から前記第２の周波数帯への切り替え処理が完了するまでは前記フィルタ部を有効にし、前記切り替え処理が完了した後は前記フィルタ部を無効にする。
【００１６】
本発明に係る携帯通信端末は、上記課題を解決するために、第１の周波数帯及び第２の周波数帯との間で切り替えて送信を行う第１の送信部を有する第１の無線部と、前記第２の周波数帯に比して前記第１の周波数帯に近い第３の周波数帯による受信を行う第１の受信部を有する第２の無線部と、前記第１の受信部による受信と前記第１の送信部による送信とを共に行う場合、前記第１の送信部による送信を前記第２の周波数帯にて行うように制御する制御部と、を有し、前記制御部は、前記第１の無線部による待ち受け中に、前記第２の無線部を動作させる指示が生じると、前記第１の周波数帯よりも前記第２の周波数帯を優先して待ち受けを行わせるように前記第１の無線部を制御する。
【００１７】
本発明に係る携帯通信端末は、上記課題を解決するために、第１の周波数帯及び第２の周波数帯との間で切り替えて送信を行う第１の送信部を有する第１の無線部と、前記第２の周波数帯に比して前記第１の周波数帯に近い第３の周波数帯による受信を行う第１の受信部を有する第２の無線部と、前記第１の受信部による受信と前記第１の送信部による送信とを共に行う場合、前記第１の送信部による送信を前記第２の周波数帯にて行うように制御する制御部と、を有し、前記制御部は、前記第１の無線部により前記第１の周波数帯を利用してデータの通信を行っているときに、前記第２の無線部の前記第１の受信部により信号の受信を行わせる指示が生じた場合には、前記第１の無線部によるデータの通信を一旦切断させ、前記第１の無線部に対して他の周波数帯の使用の可否についてのスキャンを実行させ、使用が可能な周波数帯を利用してデータの通信を再開させるように制御する。
【００１８】
また、携帯通信端末では、前記制御部は、前記第１の無線部により前記第１の周波数帯を利用して音声の通信を行っているときに、前記第２の無線部の前記第１の受信部により信号の受信を行わせる指示が生じた場合には、前記第１の無線部に対して他の周波数帯の使用の可否についてのスキャンを実行させ、前記第２の周波数帯が使用可能であれば、前記第１の周波数帯から前記第２の周波数帯に切り替える旨の情報を前記第１の周波数帯を利用して送信し、その後、前記第１の周波数帯から前記第２の周波数帯への切り替えを許可する旨の信号を受信した場合には、前記第１の周波数帯から前記第２の周波数帯へ切り替えるように制御することが好ましい。
【００１９】
また、携帯通信端末では、前記第２の無線部は、所定の周波数帯を抑制するフィルタ部を有し、前記制御部は、前記第１の送信部により前記第１の周波数帯から前記第２の周波数帯への切り替え処理が完了するまでは前記フィルタ部を有効にし、前記切り替え処理が完了した後は前記フィルタ部を無効にすることが好ましい。
【００２０】
また、携帯通信端末では、前記制御部は、前記第１の無線部に対して他の周波数帯の使用の可否についてのスキャンを実行させた結果、前記第１の周波数帯しか使用できないと判断した場合、前記第１の周波数帯の中でも前記第３の周波数帯から遠い周波数チャネルを用いて送信を行うように前記第１の無線部を制御することが好ましい。
【発明の効果】
【００２２】
本発明によれば、受信性能への影響を回避しつつ、目的とする受信信号のロスを低減することができる。
【図面の簡単な説明】
【００２３】
【図１】携帯電話装置を開いた状態を示す外観斜視図である。
【図２】携帯電話装置の機能を示す機能ブロック図である。
【図３】第１の周波数帯、第２の周波数帯、第３の周波数帯、第４の周波数帯及び第５の周波数帯の関係を示す図である。
【図４】第１の通信システムにより現在通信を行っている最中に、第２の通信システムによる通信が実行された場合における携帯電話装置の動作についての説明に供する第１のフローチャートである。
【図５】第１の通信システムにより現在通信を行っている最中に、第２の通信システムによる通信が実行された場合における携帯電話装置の動作についての説明に供する第２のフローチャートである。
【図６】第２の通信システムにより現在通信を行っている最中に、第１の通信システムによる通信が実行された場合における携帯電話装置の動作についての説明に供するフローチャートである。
【発明を実施するための形態】
【００２４】
以下、本発明の実施の形態について説明する。図１は、本発明に係る携帯通信端末の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でも良い。
【００２５】
携帯電話装置１は、図１に示すように、操作部側筐体部２と、表示部側筐体部３とを備えて構成される。操作部側筐体部２は、表面部１０に、操作ボタン群１１と、携帯電話装置１の使用者が通話時に発した音声が入力される音声入力部１２とを備えて構成される。操作ボタン群１１は、各種設定や電話帳機能やメール機能等の各種機能を作動させるための機能設定操作ボタン１３と、電話番号の数字やメール等の文字等を入力するための入力操作ボタン１４と、各種操作における決定やスクロール等を行う決定操作ボタン１５とを有する。
【００２６】
また、表示部側筐体部３は、表面部２０に、各種情報を表示するためのディスプレイ２１と、通話の相手側の音声を出力する音声出力部２２と、音楽等を出力するスピーカ２３を備えて構成されている。
【００２７】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）と、操作部側筐体部２と表示部側筐体部３とを折り畳んだ状態（折畳み状態）との間を相対移動可能に構成される。
【００２８】
このように構成される携帯電話装置１は、外部機器と通信を行う無線部が複数含まれて構成されており、一の通信システムにより信号が送信されたときに、他の通信システムで信号を受信する際の受信性能への影響を回避しつつ、目的とする受信信号のロスを低減することができる機能を有している。以下に、当該機能を実現するための構成と動作について説明する。
【００２９】
携帯電話装置１は、図２に示すように、第１の無線部３０と、第２の無線部４０と、制御部５０を有する。また、携帯電話装置１は、他に、音声入力部１２と、ディスプレイ２１と、音声出力部２２と、スピーカ２３と、操作ボタン群１１と、メモリ６０等を有する。第１の無線部３０は、アンテナ３１と、第１の周波数帯及び第２の周波数帯との間で切り替えて送信を行う第１の送信処理部３２（第１の送信部）を有する。第２の無線部４０は、アンテナ４１と、第２の周波数帯に比して第１の周波数帯に近い第３の周波数帯による受信を行う第１の受信処理部４２（第１の受信部）を有する。制御部５０は、第１の受信処理部４２による受信と第１の送信処理部３２による送信とを共に行う場合、第１の送信処理部３２による送信を第２の周波数帯にて行うように制御する。
【００３０】
なお、本実施例では、第１の無線部３０は、８００ＭＨｚを中心周波数とする周波数帯（第１の周波数帯）と、２ＧＨｚを中心周波数とする周波数帯（第２の周波数帯）との間で切り替えて送信を行う機能（いわゆる、ＣＤＭＡ（Ｃｏｄｅ  Ｄｉｖｉｓｉｏｎ  Ｍｕｌｔｉｐｌｅ  Ａｃｃｅｓｓ）方式を採用したメール通信・通話機能）を有し、第２の無線部４０は、第３の周波数帯として４７０ＭＨｚから７７０ＭＨｚの周波数帯の受信を行う機能（いわゆる、地上波デジタル放送の受信機能）を有するものとする（図３を参照）。なお、第１の無線部３０は、ＣＤＭＡ方式を採用した通信を行う機能のみならず、ＬＴＥ（Ｌｏｎｇ  Ｔｅｒｍ  Ｅｖｏｌｕｔｉｏｎ）方式を採用した通信を行う機能や、ＷｉＦｉ方式等の近距離通信を行う機能であっても良い。また、第２の無線部４０は、地上波デジタル放送を受信する機能のみならず、第１の無線部３０とは異なる機能であって、例えば、ＬＴＥ（Ｌｏｎｇ  Ｔｅｒｍ  Ｅｖｏｌｕｔｉｏｎ）方式を採用した通信を行う機能や、ＷｉＦｉ方式等の近距離通信を行う機能であっても良い。
【００３１】
第１の無線部３０の第１の送信処理部３２は、基地局（外部機器）との間で通信を行い、通話等を行う周波数帯を決定し、第１の周波数帯又は第２の周波数帯の切り替えを行う。第１の送信処理部３２は、決定した周波数帯で通信・通話の待ち受けを行う。また、第１の送信処理部３２は、データを送信する際には、送信するデータを第１の周波数帯又は第２の周波数帯の周波数を搬送波として送信信号を生成し、アンテナ３１を介して基地局に送信する。
【００３２】
また、第２の無線部４０の第１の受信処理部４２は、ユーザによる所定の操作に応じて、テレビ視聴用のアプリケーションが起動され、所定のチャンネルが指定されたときに、チャンネルと周波数の対応テーブルを参照し、４７０ＭＨｚから７７０ＭＨｚまでの周波数帯の中から、指定されたチャンネルに対応する周波数にチューニングを行う。そして、第１の受信処理部４２は、チューニングにより受信した信号に対して、復調処理や復号処理等の所定の信号処理を行い、処理後の信号を再生処理し、テレビ視聴用のアプリケーションを利用して再生を行う。
【００３３】
ここで、アンテナ４１は、ＣＤＭＡ方式の送信周波数帯のアンテナ利得が低いほど、回り込みの影響は小さくなる。しかし、アンテナ４１は、第３の周波数帯（４７０ＭＨｚから７７０ＭＨｚ）のアンテナ利得を確保しなければならず、アンテナ利得を低くすることが困難である。
【００３４】
一方で、ＣＤＭＡ方式の送信周波数帯において必要となるアンテナ利得は、第３の周波数帯と同一か数ｄＢ低下する程度である。そうすると、アンテナ４１は、第３の周波数帯の信号を受信しているときに、アンテナ３１によりＣＤＭＡ方式による送信が行われた場合、ほとんどロスすることなくアンテナ３１から送信される信号を受信してしまう。
【００３５】
したがって、アンテナ４１により受信した信号を処理する第１の受信処理部４２は、前段部に設けられているＬＮＡ（Ｌｏｗ  Ｎｏｉｓｅ  Ａｍｐｌｉｆｉｅｒ）が入力飽和状態になり、歪みが発生し、受信性能が劣化してしまう。これは、第３の周波数帯において、どの周波数でも生じる現象である。
【００３６】
実験において、−３０ｄＢｍのＣＤＭＡ送信波が入力された場合、第２の無線部４０による地上波デジタル放送の受信性能が劣化した。これは、アンテナ３１とアンテナ４１のアンテナ間アイソレーションが１０ｄＢであったため、ＣＤＭＡ送信波は、−２０ｄＢｍで送信されていたことになる。また、この結果は、アンテナ間アイソレーション量や、第２の無線部４０のＬＮＡの歪特性によっても変動する。
【００３７】
また、ＣＤＭＡ方式の信号は、最大で、＋２３ｄＢｍから＋２４ｄＢｍで送信されることが一般的である。よって、第１の受信処理部４２は、ＣＤＭＡ方式の信号を除去するためのフィルタ部を必要とする。
【００３８】
また、第１の受信処理部４２は、具体的には、アンテナ４１から入力された信号をＲＦ処理部４２ａで受信し、ＯＦＤＭ部４２ｂによって復調し、分離部４２ｃにより映像と音声を分離し、分離後の信号を制御部５０に出力する。制御部５０は、同期をとって、映像信号をディスプレイ２１に出力し、音声信号をスピーカ２３に出力する。第１の受信処理部４２は、信号の受信中においてこの再生処理の動作を常時行っている。
【００３９】
本実施形態に係る携帯電話装置１では、第２の無線部４０により第３の周波数帯に係る地上波デジタル放送を受信している場合において、第１の無線部３０により通話等を行うときには、第２の周波数帯（２ＧＨｚを中心周波数とする周波数帯）を優先的に使用する。携帯電話装置１は、第１の無線部３０が対応可能なバンドクラス（Ｂａｎｄ  Ｃｌａｓｓ）が予め登録されている。本実施例では、第２の無線部４０は、第１の周波数帯と第２の周波数帯のマルチバンドに対応可能であるものとする。
【００４０】
このように動作することによって、携帯電話装置１は、第２の無線部４０により信号を受信中に、第１の無線部３０により信号を送信する際に、強力なフィルタ部を用いずとも、フィルタ部に基づく第２の無線部４０の受信性能への影響を回避しつつ、受信中の信号のロスを低減、すなわち受信中の信号を好適に受信することができる。
【００４１】
また、第１の無線部３０は、図２に示すように、第２の受信処理部３３（第２の受信部）を有する。このような構成の場合には、制御部５０は、第２の受信処理部３３により基地局から取得された近隣の基地局に関する情報（ネイバーリスト）に基づいて、随時、使用する周波数帯を特定し、特定した周波数帯で送信を行うように第１の送信処理部３２を制御する。
【００４２】
したがって、携帯電話装置１は、取得したネイバーリストに基づいて、隣接する基地局が対応するバンドクラスを把握することができ、このバンドクラスによって第１の無線部３０によって通信可能な周波数帯を特定することができる。このため、例えば、ネイバーリストによって基地局が８００ＭＨｚと、２ＧＨｚのバンドクラスに対応することが分かっていれば、２ＧＨｚに切り替える際に、基地局に対してその都度、対応可能なバンドクラスを問い合わせる処理が不要となり、素早く周波数帯域を切り替えることができる。
【００４３】
また、第１の無線部３０は、第３の周波数帯と第２の周波数帯の間における周波数の差よりも第３の周波数帯との間における周波数の差が大きい周波数帯である第４の周波数帯を利用可能に構成されていても良い（図３を参照）。このような構成の場合には、制御部５０は、第２の周波数帯よりも第４の周波数帯を優先して基地局との通信の確立を行うよう第４の周波数帯を利用して送信を行うように第１の無線部３０を制御する。
【００４４】
例えば、制御部５０は、第１の無線部３０が第１の周波数帯（８００ＭＨｚを中心周波数とする周波数帯）及び第２の周波数帯（２ＧＨｚを中心周波数とする周波数帯）の他に、第４の周波数帯（４ＧＨｚを中心周波数とする周波数帯）に対応が可能な場合であって、第２の無線部４０によって第３の周波数帯（４７０ＭＨｚから７７０ＭＨｚ）の受信を行っており、第１の無線部３０による通信が始まるときには、第３の周波数帯から一番遠い周波数帯である第４の周波数帯を優先的に選択して基地局と通信を行う。
【００４５】
したがって、携帯電話装置１は、第１の無線部３０による信号の送信が開始されても、第２の無線部４０の受信性能への影響を最大限回避しつつ、受信中の信号のロスを低減、すなわち受信中の信号を好適に受信することができる。
【００４６】
第２の無線部４０は、第３の周波数帯を利用して送信されるテレビ放送あるいはラジオ放送の受信を行うことが好ましい。地上波デジタル放送の受信や、デジタルラジオ放送の受信は、携帯電話装置１において、頻繁に利用されるものである。
【００４７】
よって、携帯電話装置１は、テレビやラジオの視聴中において、第１の無線部３０による通信が生じた場合でも、テレビやラジオの視聴を損なうことがないので、利用価値の高いサービスを提供することができる。
【００４８】
制御部５０は、第２の無線部４０により第３の周波数帯（例えば、４７０ＭＨｚから７７０ＭＨｚ）を利用して送信されてきた信号を受信中に、第１の無線部３０の第１の受信処理部４２が第１の周波数帯（例えば、８００ＭＨｚを中心周波数とする周波数帯）を利用して送信されてきた信号を受信した場合、第１の無線部３０に対して他の周波数帯の使用の可否についてのスキャンを実行させ、第２の周波数帯（例えば、２ＧＨｚを中心周波数とする周波数帯）の使用が可能な場合には、第１の周波数帯から第２の周波数帯に切り替える旨（ハンドオフ）の情報を第１の周波数帯を利用して送信する。その後、制御部５０は、第１の周波数帯から第２の周波数帯への切り替えを許可する旨の信号を受信した場合には、第１の周波数帯から第２の周波数帯へ切り替えるように制御することが好ましい。
【００４９】
このように構成されることによって、携帯電話装置１は、第２の無線部４０により第３の周波数帯の信号を受信している場合において、第１の無線部３０により通話等を行うときに、周波数帯のスキャンを実行し、第３の周波数帯から遠い周波数帯が使用可能な場合には、その周波数帯にハンドオフ（ハンドオーバー）するように基地局に要求し、基地局からハンドオフの許可を得たことを条件に第１の周波数帯から第２の周波数帯へハンドオフする。よって、携帯電話装置１は、フィルタ部を利用しないので、第２の無線部４０の受信性能への影響を回避しつつ、受信中の信号のロスを低減、すなわち受信中の信号を好適に受信することができる。
【００５０】
第２の無線部４０は、図２に示すように、アンテナ４１と第１の受信処理部４２との間に、所定の周波数帯を抑制するフィルタ部４３を有する。制御部５０は、第１の送信処理部３２により第１の周波数帯から第２の周波数帯への切り替え処理が完了するまではフィルタ部４３を有効にし、切り替え処理が完了した後はフィルタ部４３を無効にするように制御する。
【００５１】
このように構成されることによって、携帯電話装置１は、第１の送信処理部３２において第１の周波数帯から第２の周波数帯への切り替え処理が完了するまではフィルタ部４３を有効にするので、第１の送信処理部３２による信号の送信に基づく第１の受信処理部４２の受信性能への影響を回避することができる。また、携帯電話装置１は、この切り替え処理が完了した後はフィルタ部４３を無効にするので、フィルタ部４３と第１の送信処理部３２による信号の送信に基づく第１の受信処理部４２の受信性能への影響を回避することができる。
【００５２】
また、携帯電話装置１では、第１の送信処理部３２において第１の周波数帯から第２の周波数帯への切り替え処理に係る時間分だけフィルタ部４３を使用し、フィルタ部４３を常時有効とはしないので、受信中の信号を好適に受信することができる。
【００５３】
また、制御部５０は、第１の無線部３０による待ち受け中に、第２の無線部４０を動作させる指示が生じると、第１の周波数帯よりも第２の周波数帯を優先して待ち受けを行わせるように第１の無線部３０を制御する。
【００５４】
携帯電話装置１は、待ち受け中においては、電話やメールの着信について、一定の時間間隔で基地局に対して確認処理を行っている。また、基地局は、周辺の他の基地局の電波の強度や、対応するバンドクラスについての情報を有している。携帯電話装置１は、この情報を基地局から提供されており、現在交信中の基地局とその周辺の基地局についての情報を有している。また、携帯電話装置１は、システム全体で効率的な通信を行うため、交信を行う基地局に対して、位置登録（レジストレーション）を行っている。
【００５５】
ここで、制御部５０は、第１の無線部３０によって、電話やメールの着信の待ち受け中に、第２の無線部４０を動作させる指示（例えば、地上波デジタル放送を視聴するためのアプリケーションを起動する操作）が生じると、第２の周波数帯を優先して待ち受けを行わせるように第１の無線部３０を制御する。このとき、制御部５０は、現在交信中の基地局が第２の周波数帯による通信にも対応可能な場合には、当該基地局に対して第２の周波数帯によって交信するように切り替える要求を行う。また、制御部５０は、現在交信中の基地局が第２の周波数帯による通信に対応できない場合には、対応可能な基地局に変更するように要求を行う。
【００５６】
制御部５０は、位置登録（レジストレーション）を変更するようにアイドルハンドオフ又はリセレクション（現在交信中の基地局との交信をロストして、スキャンを実行し、他の基地局との交信を開始し、他の基地局に位置登録を行う）するように更新中の基地局に要求を行う。
【００５７】
制御部５０は、第１の無線部３０により第１の周波数帯を利用してデータの通信を行っているときに、第２の無線部４０の第１の受信処理部４２により信号の受信を行わせる指示が生じた場合には、第１の無線部３０によるデータの通信を一旦切断させ、第１の無線部３０に対して他の周波数帯の使用の可否についてのスキャンを実行させ、使用が可能な周波数帯を利用してデータの通信を再開させるように制御する。
【００５８】
ここで、データの通信とは、例えば、メール等によってデータをパケット形式によりサーバ等にアップロードしている状態を指している。よって、データの通信は、一旦切断されても、その後の再開処理によって継続的な通信が可能である。制御部５０は、例えば、一のパケットを送信後、続くパケットの送信を一旦停止し、第１の無線部３０に対して他の周波数帯の使用の可否についてのスキャンを実行させ、使用が可能な周波数帯を利用してパケットの送信を再開させるように制御する。
【００５９】
このように構成されることによって、携帯電話装置１は、第１の無線部３０によるデータの通信を継続しつつ、第１の送信処理部３２による信号の送信に基づく第１の受信処理部４２の受信性能への影響を回避することができる。
【００６０】
また、制御部５０は、第１の無線部３０により第１の周波数帯を利用して音声の通信を行っているときに、第２の無線部４０の第１の受信処理部４２により信号の受信を行わせる指示が生じた場合には、第１の無線部３０に対して他の周波数帯の使用の可否についてのスキャンを実行させ、第２の周波数帯が使用可能であれば、第１の周波数帯から第２の周波数帯に切り替える旨の情報を第１の周波数帯を利用して送信し、その後、第１の周波数帯から第２の周波数帯への切り替えを許可する旨の信号を受信した場合には、第１の周波数帯から第２の周波数帯へ切り替えるように制御する。
【００６１】
一般的に、携帯電話装置１では、移動中においては、通話の品質を所定の品質に担保するために、基地局との電波強度に基づいて、基地局の切り替え処理（ハンドオーバー）が生じる。なお、携帯電話装置１は、ハンドオーバーが生じても、通話状態は維持される。
【００６２】
制御部５０は、移動中ではないが、第１の無線部３０により音声の通信を行っているときに、第２の無線部４０によりデータの受信を行わせる指示（例えば、地上波デジタル放送を視聴するためのアプリケーションを起動する操作）が生じた場合には、第１の無線部３０に対して他の周波数帯の使用の可否についてのスキャンを実行させる。そして、制御部５０は、第２の周波数帯が使用可能であれば、第１の周波数帯から第２の周波数帯に切り替える旨の情報を第１の周波数帯を利用して送信し、その後、第１の周波数帯から第２の周波数帯への切り替えを許可する旨の信号を受信した場合には、第１の周波数帯から第２の周波数帯へ切り替えるように制御する。
【００６３】
このようにして携帯電話装置１は、第１の無線部３０による通話を維持しつつ、第１の送信処理部３２による信号の送信に基づく第１の受信処理部４２の受信性能への影響を回避することができる。
【００６４】
また、上述の構成において、第２の無線部４０は、図２に示すように、所定の周波数帯を抑制するフィルタ部４３を有する。制御部５０は、第１の送信処理部３２により第１の周波数帯から第２の周波数帯への切り替え処理が完了するまではフィルタ部４３を有効にし、切り替え処理が完了した後はフィルタ部４３を無効にするように制御する。
【００６５】
このように構成されることによって、携帯電話装置１は、第１の送信処理部３２において第１の周波数帯から第２の周波数帯への切り替え処理が完了するまではフィルタ部４３を有効にするので、第１の送信処理部３２による信号の送信に基づく第１の受信処理部４２の受信性能への影響を回避することができる。また、携帯電話装置１は、この切り替え処理が完了した後はフィルタ部４３を無効にするので、フィルタ部４３と第１の送信処理部３２による信号の送信に基づく第１の受信処理部４２の受信性能への影響を回避することができる。
【００６６】
また、携帯電話装置１では、第１の送信処理部３２において第１の周波数帯から第２の周波数帯への切り替え処理に係る時間分だけフィルタ部４３を使用し、フィルタ部４３を常時有効とはしないので、受信中の信号を好適に受信することができる。
【００６７】
また、制御部５０は、第１の無線部３０に対して他の周波数帯の使用の可否についてのスキャンを実行させた結果、第１の周波数帯しか使用できないと判断した場合、第１の周波数帯の中でも第３の周波数帯から遠い周波数チャネルを用いて送信を行うように第１の無線部３０を制御する。
【００６８】
第１の周波数帯は、本実施例においては、８００ＭＨｚを中心周波数とする周波数帯である。また、第３の周波数帯は、本実施例においては、４７０ＭＨｚから７７０ＭＨｚの周波数帯である。制御部５０は、第１の周波数帯しか使用できない場合（第２の周波数帯に対応可能であるが、現在は、第２の周波数帯を利用できない場合を含む）には、第１の周波数帯の中において、スキャンしたテーブルに基づいて、第３の周波数帯から遠い方の周波数を用いて送信を行うように第１の無線部３０を制御する。
【００６９】
このように構成されることによって、携帯電話装置１は、第１の送信処理部３２による信号の送信に基づく第１の受信処理部４２の受信性能への影響を最大限回避することができる。
【００７０】
また、上述では、第１の受信処理部４２の受信性能を向上させるために、第１の送信処理部３２の周波数帯を切り替える実施形態について説明したが、これに限られず、以下の実施形態であっても良い。
【００７１】
第２の無線部４０の第１の受信処理部４２は、第３の周波数帯及び第５の周波数帯との間で切り替えて受信を行うように構成されている。また、第５の周波数帯は、第１の周波数帯よりも低い周波数帯に属している（図３を参照）。また、制御部５０は、第１の受信処理部４２による受信と第１の送信処理部３２による送信とを共に行う場合、第１の受信処理部４２による受信を第５の周波数帯にて行うように制御する。
【００７２】
このように構成されることによって、携帯電話装置１は、第１の無線部３０で使用する周波数帯と、第２の無線部４０で使用する周波数帯を離すことができ、第１の送信処理部３２による信号の送信に基づく第１の受信処理部４２の受信性能への影響を回避することができる。
【００７３】
また、上述した各実施例を相互に利用することによって、以下のような実施例も考えることができる。
携帯電話装置１は、選択する通信システムが複数存在する場合には、通信システムのテーブルを作成し、個々のテーブルから一番離れた通信システムから順番にスキャンを行い、その通信システムが待ち受けできない等の理由で使用できない場合には、２番目に離れた通信システムを利用し、周波数帯域が使用中の通信システムから遠い順番にスキャンを試みる。
【００７４】
また、携帯電話装置１は、例えば、地上波デジタル放送の使用時において、電話やメールを着信した場合には、通信に入ってから基地局にバンドクラスの異なる通信システムにハンドオフするメッセージを送信し、バンドクラスを切り替えることを促す。また、携帯電話装置１は、第２の周波数帯（２ＧＨｚを中心周波数とする周波数帯）が利用できず、第１の周波数帯（８００ＭＨｚを中心周波数とする周波数帯）を使用する場合には、従来通りにフィルタ部４３により対応を図る。
【００７５】
また、地上波デジタル放送の受信を行う受信機には、一般的に複数の通信システムの送信波に対応したフィルタ部が存在する。携帯電話装置１は、上述したように、地上波デジタル放送で使用される周波数帯から遠い周波数を他の通信で使用するということは、アンテナ利得が低いところの周波数を使うということになる。すなわち、フィルタ部は、高減衰である必要がなくなり、地上波デジタル放送で使用される周波数帯のロスを少なく設計できることになる。
【００７６】
ここで、第１の通信システム（第１の無線部３０）を利用中に、第２の通信システム（第２の無線部４０）が起動された場合における携帯電話装置１の通信システムの切り替え処理の動作について、図４及び図５に示すフローチャートを参照しながら説明する。なお、第１の無線部３０の利用中とは、待ち受け状態における通信や、データの送受信による通信や、通話による通信を含む概念である。
【００７７】
ステップＳＴ１において、制御部５０は、利用中の第１の通信システム（第１の無線部３０）が、起動された第２の通信システム（第２の無線部４０）の使用周波数帯に近い、すなわち影響を及ぼすか否かを判断する。影響を及ぼすと判断した場合（Ｙｅｓ）には、ステップＳＴ２に進み、影響を及ぼさないと判断した場合（Ｎｏ）には、周波数帯の変更は必要ないので、切り替え処理を終了する。
【００７８】
ステップＳＴ２において、制御部５０は、第２の通信システム（第２の無線部４０）が他の周波数帯域で利用が可能であるか否かを判断する。他の周波数帯域での利用が可能である場合（Ｙｅｓ）には、ステップＳＴ３に進み、他の周波数帯域での使用ができない場合（Ｎｏ）には、ステップＳＴ８に進む。なお、第２の無線部４０としてＬＴＥ方式のデータ通信を行うものを想定しているときには、上述の通り、他の周波数帯域での利用が可能である場合（Ｙｅｓ）には、ステップＳＴ３に進み、他の周波数帯域での使用ができない場合（Ｎｏ）には、ステップＳＴ８に進む。また、第２の無線部４０として地上波デジタル放送の受信を行うものを想定しているときには、本工程においては、第２の通信システム（第２の無線部４０）が他の周波数帯域で利用が可能であるか否かを判定せずにＳＴ８に強制的に進めても良い。
【００７９】
ステップＳＴ３において、制御部５０は、すべての周波数帯域のスキャンが完了したか否かを判断する。すべての周波数帯域のスキャンが完了した場合（Ｙｅｓ）、すなわち、他の周波数帯域に切り替えができない場合には、ステップＳＴ４に進む。また、すべての周波数帯域のスキャンが完了していない場合（Ｎｏ）には、ステップＳＴ５に進む。なお、制御部５０は、スキャンを実行するのではなく、ネイバーリストに基づいて、すべての周辺基地局の対応バンドクラスについて利用が可能かどうかを確認する構成であっても良い。このような構成の場合には、本工程と後述するステップＳＴ５を一体として、制御部５０は、周波数帯の切り替えができない場合には、ステップＳＴ４に進み、周波数帯の切り替えが可能な場合には、ステップＳＴ６に進む。
【００８０】
ステップＳＴ４において、制御部５０は、フィルタ部４３が有効になるように制御する。なお、この後、制御部５０は、他の周波数帯域に変更することができた場合には、フィルタ部４３が無効になるように制御する。
【００８１】
また、ステップＳＴ５において、制御部５０は、第２の通信システム（第２の無線部４０）で対応可能な周波数帯のうち、第１の通信システム（第１の無線部３０）で使用されている周波数帯から遠い方の周波数帯が現在利用可能かどうか確認する。
【００８２】
ステップＳＴ６において、制御部５０は、ステップＳＴ５の工程による確認の結果、遠い方の周波数帯が現在利用可能か否かを判断する。遠い方の周波数帯が現在利用可能な場合（Ｙｅｓ）には、ステップＳＴ７に進み、遠い方の周波数帯が現在利用可能ではない場合（Ｎｏ）には、ステップＴ３に戻る。ここで、制御部５０は、ステップＳＴ５及びステップＳＴ６の工程を経て、第２の通信システム（第２の無線部４０）で対応可能な周波数帯のうち、第１の通信システム（第１の無線部３０）で使用されている周波数帯からできるだけ遠い周波数帯を選択することを目的としている。
【００８３】
ステップＳＴ７において、制御部５０は、ステップＳＴ６の工程で利用可能であると判断された周波数帯に切り替える制御を行う。
【００８４】
また、ステップＳＴ８において、制御部５０は、第１の通信システム（第１の無線部３０）が他の周波数帯域で利用が可能であるか否かを判断する。他の周波数帯域での利用が可能である場合（Ｙｅｓ）には、ステップＳＴ１０に進み、他の周波数帯域での使用ができない場合（Ｎｏ）には、ステップＳＴ９に進む。
【００８５】
ステップＳＴ９において、制御部５０は、第１の通信システム（第１の無線部３０）で使用する周波数帯において、第２の通信システム（第２の無線部４０）で使用する周波数帯から遠い方の周波数チャネルの使用が可能であるか否かを検索する。制御部５０は、遠い方の周波数チャネルが使用可能な場合には、その周波数チャネルで今後の通信を実行するように第１の通信システム（第１の無線部３０）を制御する。
【００８６】
また、制御部５０は、そのような周波数チャネルが使用可能でない場合には、第２の通信システム（第２の無線部４０）で使用する周波数帯に近い周波数帯を選択し、フィルタ部４３が有効になるように制御する。なお、この後、制御部５０は、第２の通信システム（第２の無線部４０）で使用する周波数帯から十分に離れた周波数チャネルに変更することができた場合には、フィルタ部４３が無効になるように制御する。
【００８７】
また、ステップＳＴ１０において、制御部５０は、待ち受け中であるかどうかを判断する。待ち受け中である場合（Ｙｅｓ）には、ステップＳＴ１１に進み、待ち受け中でない場合（Ｎｏ）、すなわち通信中の場合には、ステップＳＴ１５に進む。
【００８８】
ステップＳＴ１１において、制御部５０は、すべての周波数帯域のスキャンが完了したか否かを判断する。すべての周波数帯域のスキャンが完了した場合（Ｙｅｓ）、すなわち、他の周波数帯域に切り替えができない場合には、ステップＳＴ４に進む。また、すべての周波数帯域のスキャンが完了していない場合（Ｎｏ）には、ステップＳＴ１２に進む。
【００８９】
ステップＳＴ１２において、制御部５０は、第１の通信システム（第１の無線部３０）で対応可能な周波数帯のうち、第２の通信システム（第２の無線部４０）で使用されている周波数帯から遠い方の周波数帯が現在利用可能かどうか確認する。
【００９０】
ステップＳＴ１３において、制御部５０は、ステップＳＴ１２の工程による確認の結果、遠い方の周波数帯が現在利用可能か否かを判断する。遠い方の周波数帯が現在利用可能な場合（Ｙｅｓ）には、ステップＳＴ１４に進み、遠い方の周波数帯が現在利用可能ではない場合（Ｎｏ）には、ステップＴ１１に戻る。ここで、制御部５０は、ステップＳＴ１２及びステップＳＴ１３の工程を経て、第１の通信システム（第１の無線部３０）で対応可能な周波数帯のうち、第２の通信システム（第２の無線部４０）で使用されている周波数帯からできるだけ遠い周波数帯を選択することを目的としている。
【００９１】
ステップＳＴ１４において、制御部５０は、ステップＳＴ１３の工程で利用可能であると判断された周波数帯に切り替える制御を行う。
【００９２】
ステップＳＴ１５において、制御部５０は、音声による通話の通信を実行中であるか否かを判断する。音声による通話の通信を実行中である場合（Ｙｅｓ）には、ステップＳＴ１６に進み、音声による通話の通信を実行中ではない場合（Ｎｏ）には、ステップＳＴ２０に進む。
【００９３】
ステップＳＴ１６において、制御部５０は、フィルタ部４３が有効になるように制御する。
【００９４】
ステップＳＴ１７において、制御部５０は、他の周波数帯にハンドオフ（ハンドオーバー）するように基地局に要求する。
【００９５】
ステップＳＴ１８において、制御部５０は、ステップＳＴ１７の工程による要求に応じて、基地局からハンドオフの許可を得られたか否かを判断する。ハンドオフの許可を得られた場合（Ｙｅｓ）には、許可された周波数帯にハンドオフを行うと共に、ステップＳＴ１９に進む。また、ハンドオフの許可を得られなかった場合（Ｎｏ）には、処理を終了、すなわち、フィルタ部４３の有効状態を維持する。なお、この後、制御部５０は、ハンドオフの許可を得られる状態になったときには、フィルタ部４３が無効になるように制御する。
【００９６】
ステップＳＴ１９において、制御部５０は、フィルタ部４３が無効状態になるように制御する。具体的には、制御部５０は、現在の第１の周波数帯から他の周波数帯への切り替え処理が完了するまではフィルタ部４３を有効にし、切り替え処理が完了した後はフィルタ部４３を無効にするように制御する。
【００９７】
また、ステップＳＴ２０において、制御部５０は、データの通信を行っているか否かを判断する。データの通信を行っている場合（Ｙｅｓ）には、ステップＳＴ２１に進み、データの通信を行っていない場合（Ｎｏ）には、切り替え処理を終了する。
【００９８】
ステップＳＴ２１において、制御部５０は、データの通信を一旦遮断する。具体的には、制御部５０は、一のパケットを送信後、続くパケットの送信を一旦停止する。
【００９９】
ステップＳＴ２２において、制御部５０は、すべての周波数帯域のスキャンが完了したか否かを判断する。すべての周波数帯域のスキャンが完了した場合（Ｙｅｓ）、すなわち、他の周波数帯域に切り替えができない場合には、ステップＳＴ２３に進む。また、すべての周波数帯域のスキャンが完了していない場合（Ｎｏ）には、ステップＳＴ２４に進む。
【０１００】
ステップＳＴ２３において、制御部５０は、ステップＳＴ２１の工程において、データの通信を一旦遮断したときの周波数帯と同一の周波数帯により通信を再開する場合には、フィルタ部４３を有効にし、その後、データの通信を再開させるように制御する。
【０１０１】
ステップＳＴ２４において、制御部５０は、第１の通信システム（第１の無線部３０）で対応可能な周波数帯のうち、第２の通信システム（第２の無線部４０）で使用されている周波数帯から遠い方の周波数帯が現在利用可能かどうか確認する。
【０１０２】
ステップＳＴ２５において、制御部５０は、ステップＳＴ２４の工程による確認の結果、遠い方の周波数帯が現在利用可能か否かを判断する。遠い方の周波数帯が現在利用可能な場合（Ｙｅｓ）には、ステップＳＴ２６に進み、遠い方の周波数帯が現在利用可能ではない場合（Ｎｏ）には、ステップＴ２２に戻る。ここで、制御部５０は、ステップＳＴ２４及びステップＳＴ２５の工程を経て、第１の通信システム（第１の無線部３０）で対応可能な周波数帯のうち、第２の通信システム（第２の無線部４０）で使用されている周波数帯からできるだけ遠い周波数帯を選択することを目的としている。
【０１０３】
ステップＳＴ２６において、制御部５０は、ステップＳＴ２５の工程で利用可能であると判断された周波数帯に切り替え、その後、データの通信を再開させるように制御する。
【０１０４】
このようにして、携帯電話装置１は、第１の無線部３０で使用する周波数帯と、第２の無線部４０で使用する周波数帯を離すことができ、第１の無線部３０による信号の送信に基づく第２の無線部４０の受信性能への影響を回避することができる。
【０１０５】
また、第２の通信システム（第２の無線部４０）により現在通信を行っている最中に、第１の通信システム（第１の無線部３０）による通信が実行された場合における携帯電話装置１の動作について、図６に示すフローチャートを参照しながら説明する。なお、第１の無線部３０による通信とは、待ち受け状態における通信や、データの送受信による通信や、通話による通信を含む概念である。
【０１０６】
ステップＳＴ３１において、制御部５０は、利用中の第２の通信システム（第２の無線部４０）が、起動された第１の通信システム（第１の無線部３０）の使用周波数帯に近い、すなわち影響を及ぼすか否かを判断する。影響を及ぼすと判断した場合（Ｙｅｓ）には、ステップＳＴ３２に進み、影響を及ぼさないと判断した場合（Ｎｏ）には、周波数帯の変更は必要ないので、切り替え処理を終了する。なお、第２の無線部４０としてＬＴＥ方式のデータ通信を行うものを想定しているときには、上述の通り、影響を及ぼすと判断した場合には、ステップＳＴ３２に進み、影響を及ぼさないと判断した場合には、切り替え処理を終了する。また、第２の無線部４０として地上波デジタル放送の受信を行うものを想定しているときには、制御部５０は、第２の通信システム（第２の無線部４０）が他の周波数帯域で利用が可能であるか否かを判定せずに切り替え処理を終了する。
【０１０７】
ステップＳＴ３２において、制御部５０は、第１の通信システム（第１の無線部３０）が他の周波数帯域で利用が可能であるか否かを判断する。他の周波数帯域での利用が可能である場合（Ｙｅｓ）には、ステップＳＴ３３に進み、他の周波数帯域での使用ができない場合（Ｎｏ）には、ステップＳＴ３８に進む。
【０１０８】
ステップＳＴ３３において、制御部５０は、すべての周波数帯域のスキャンが完了したか否かを判断する。すべての周波数帯域のスキャンが完了した場合（Ｙｅｓ）、すなわち、他の周波数帯域に切り替えができない場合には、ステップＳＴ３４に進む。また、すべての周波数帯域のスキャンが完了していない場合（Ｎｏ）には、ステップＳＴ３５に進む。
【０１０９】
ステップＳＴ３４において、制御部５０は、フィルタ部４３が有効になるように制御する。なお、この後、制御部５０は、他の周波数帯域に変更することができた場合には、フィルタ部４３が無効になるように制御する。
【０１１０】
また、ステップＳＴ３５において、制御部５０は、第１の通信システム（第１の無線部３０）で対応可能な周波数帯のうち、第２の通信システム（第２の無線部４０）で使用されている周波数帯から遠い方の周波数帯が現在利用可能かどうか確認する。
【０１１１】
ステップＳＴ３６において、制御部５０は、ステップＳＴ３５の工程による確認の結果、遠い方の周波数帯が現在利用可能か否かを判断する。遠い方の周波数帯が現在利用可能な場合（Ｙｅｓ）には、ステップＳＴ３７に進み、遠い方の周波数帯が現在利用可能ではない場合（Ｎｏ）には、ステップＴ３３に戻る。ここで、制御部５０は、ステップＳＴ３５及びステップＳＴ３６の工程を経て、第１の通信システム（第１の無線部３０）で対応可能な周波数帯のうち、第２の通信システム（第２の無線部４０）で使用されている周波数帯からできるだけ遠い周波数帯を選択することを目的としている。
【０１１２】
ステップＳＴ３７において、制御部５０は、ステップＳＴ３６の工程で利用可能であると判断された周波数帯に切り替える制御を行う。
【０１１３】
また、ステップＳＴ３８において、制御部５０は、第２の通信システム（第２の無線部４０）が他の周波数帯域で利用が可能であるか否かを判断する。他の周波数帯域での利用が可能である場合（Ｙｅｓ）には、ステップＳＴ４０に進み、他の周波数帯域での使用ができない場合（Ｎｏ）には、ステップＳＴ３９に進む。
【０１１４】
ステップＳＴ３９において、制御部５０は、第１の通信システム（第１の無線部３０）で使用する周波数帯において、第２の通信システム（第２の無線部４０）で使用する周波数帯から遠い方の周波数チャネルの使用が可能であるか否かを検索する。制御部５０は、遠い方の周波数チャネルが使用可能な場合には、その周波数チャネルで今後の通信を実行するように第１の通信システム（第１の無線部３０）を制御する。
【０１１５】
また、制御部５０は、そのような周波数チャネルが使用可能でない場合には、第２の通信システム（第２の無線部４０）で使用する周波数帯に近い周波数帯を選択し、フィルタ部４３が有効になるように制御する。なお、この後、制御部５０は、第２の通信システム（第２の無線部４０）で使用する周波数帯から十分に離れた周波数チャネルに変更することができた場合には、フィルタ部４３が無効になるように制御する。
【０１１６】
ステップＳＴ４０において、制御部５０は、すべての周波数帯域のスキャンが完了したか否かを判断する。すべての周波数帯域のスキャンが完了した場合（Ｙｅｓ）、すなわち、他の周波数帯域に切り替えができない場合には、ステップＳＴ３４に進む。また、すべての周波数帯域のスキャンが完了していない場合（Ｎｏ）には、ステップＳＴ４１に進む。
【０１１７】
ステップＳＴ４１において、制御部５０は、第２の通信システム（第２の無線部４０）で対応可能な周波数帯のうち、第１の通信システム（第１の無線部３０）で使用されている周波数帯から遠い方の周波数帯が現在利用可能かどうか確認する。
【０１１８】
ステップＳＴ４２において、制御部５０は、ステップＳＴ４１の工程による確認の結果、遠い方の周波数帯が現在利用可能か否かを判断する。遠い方の周波数帯が現在利用可能な場合（Ｙｅｓ）には、ステップＳＴ４３に進み、遠い方の周波数帯が現在利用可能ではない場合（Ｎｏ）には、ステップＴ４０に戻る。ここで、制御部５０は、ステップＳＴ４１及びステップＳＴ４２の工程を経て、第２の通信システム（第２の無線部４０）で対応可能な周波数帯のうち、第１の通信システム（第１の無線部３０）で使用されている周波数帯からできるだけ遠い周波数帯を選択することを目的としている。
【０１１９】
ステップＳＴ４３において、制御部５０は、ステップＳＴ４２の工程で利用可能であると判断された周波数帯に切り替える制御を行う。
【０１２０】
このようにして、携帯電話装置１は、第１の無線部３０で使用する周波数帯と、第２の無線部４０で使用する周波数帯を離すことができ、第１の無線部３０による信号の送信に基づく第２の無線部４０の受信性能への影響を回避することができる。
【０１２１】
ここで、本実施例に係る携帯電話装置１により発揮される効果について以下に列挙する。なお、以下の効果は、主なものだけであり、他の効果も当然に発揮する。
携帯電話装置１は、同時に２つ以上の通信システム（例えば、通話に係る通信システムと、地上波デジタル放送の視聴に係る通信システム）を利用する場合において、単にフィルタ部４３を利用してしまうと、フィルタリングしたい周波数だけでなく、所望の周波数にロス（減衰）が生じる可能性がある。しかし、本実施例に係る携帯電話装置１では、互いに影響しないように、離れた周波数帯域の利用を図るため、所望の周波数のロスを回避することができる。
【０１２２】
また、携帯電話装置１では、２つ以上の通信システムにおいて、互いの周波数帯を一定以上離すことが可能であれば、フィルタ部４３を備えなくても良く、部品点数の減少によるコストや、基板上の省スペース化に対してもメリットがある。
【０１２３】
また、携帯電話装置１は、周波数帯域の切り替えだけでなく、同一周波数帯においてもなるべく周波数間が離れるような周波数チャネルの利用を図るので、一の通信システムに対して他の通信システムへの影響を最大限回避することができる。
【０１２４】
また、携帯電話装置１は、フィルタ部４３の有効と無効を巧みに制御するので、フィルタ部４３のデメリットを軽減し、メリットを最大限に図ることができる。
【０１２５】
また、携帯電話装置１は、現在実行中の通信システム及びこれから起動する通信システムについて、例えば、周波数帯の切り替えが容易な方を選択することができる等、同時に実行される通信システムの組み合わせに応じて、適宜好適な制御を行うことができ、設計の自由度を向上させることができる。
【符号の説明】
【０１２６】
１  携帯電話装置
３０  第１の無線部
３１，４１  アンテナ
３２  第１の送信処理部
３３  第２の受信処理部
４０  第２の無線部
４２  第１の受信処理部
４３  フィルタ部
５０  制御部
【図１】
0005431131.tif 000002
【図２】
0005431131.tif 000003
【図３】
0005431131.tif 000004
【図４】
0005431131.tif 000005
【図５】
0005431131.tif 000006
【図６】
0005431131.tif 000007